(57)【特許請求の範囲】
【請求項１】
断面形状が略半円状の長尺部材を２枚重ね合わせて側面が開口した平面視略Ｃ字状の開放断面状態で施工終了直後の改良地盤内に挿入し、所定の深度に達すると、一方の長尺部材に対して他方の長尺部材を中心軸の回りに回転させて閉鎖断面の長尺採取部材を形成し、この長尺採取部材を地上に引き上げることを特徴とする試料土採取方法。
【請求項２】
長尺採取部材の先端から固化材液を吐出しながら長尺採取部材を引き上げることを特徴とする請求項１に記載の試料土採取方法。
【請求項３】
断面形状が略半円状で重ね合わせることのできる２枚の長尺部材から構成され、一方の長尺部材が中心軸の回りに回転可能に設けられ、他方の長尺部材が一方の長尺部材に中心軸方向に一体移動可能かつ中心軸の回りを相対回転可能に設けられ、側面が開口した平面視略Ｃ字状の開放断面長尺採取部材とすることができることを特徴とする試料土採取装置。
【請求項４】
長尺部材に沿って注入管が配設されていることを特徴とする請求項３に記載の試料土採取装置。
【発明の詳細な説明】
【０００１】
【発明の属する技術分野】
本発明は、例えば施工直後の改良地盤（ソイルセメント体）に挿入して試料土を採取するための試料土採取方法およびこの方法に使用する試料土採取装置に関するものである。
【０００２】
【従来の技術】
現地地盤土とセメント系固化材液を攪拌混合してソイルセメント体を構築する地盤改良工法においては、構築されたソイルセメント体の品質管理のために試料土を採取することが行なわれており、従来においては、地盤改良の施工直後に塩化ビニールパイプ等を改良地盤内に所定の深度まで挿入し、ソイルセメント体が完全に硬化する前に、塩化ビニールパイプを引き上げることで、試料土を採取していた。また、ソイルセメント体が完全に硬化した後、コアボーリングにより採取する方法もある。
【０００３】
【発明が解決しようとする課題】
しかし、従来の塩化ビニールパイプ等の閉鎖断面の採取装置の場合、パイプを押し込む時に、ソイルセメントの粘着力が高いため、内周面摩擦が作用する所謂閉塞効果により、試料土が採取できない場合や、試料土が圧縮されて性状の変化したものとなることがあるなどの問題点があった。
【０００４】
また、塩化ビニールパイプ等の場合、施工直後にパイプを挿入してソイルセメント体が硬化した後にパイプを引き上げるため、コアボーリングの場合には、硬化後の改良土を採取するため、事後の品質管理となると共に、時間やコストがかかるなどの問題点もあった。
【０００５】
そのため、特開平１０−１４７９２８号公報に開示された土砂の採取方法を利用することも考えられる。この場合、試料土採取方法は、開放された側面を有する開放断面の略Ｕ字状型の長尺採取部材を施工直後の改良地盤内に挿入し、所定の深度に達すると、開放側面に地上側から側面部材を改良地盤内に挿入し、この側面部材により試料土を周囲の改良土（ソイルセメント）から縁切りし、試料土が充填された長尺採取部材を地上に引き上げるものである。
【０００６】
しかし、このような方法でも、粘性が高いソイルセメントの場合には、開放断面の長尺採取部材の内面とソイルセメントの摩擦により採取しようとするソイルセメントが深度方向に圧縮されることがあった。
【０００７】
また、特開２０００−１８４４号公報には、中空円筒体の側壁を一部を残置した状態で筒体長手方向の側壁を切り欠いて開口部を形成した試料土採取装置が開示されている。この試料土採取装置は、中空円筒体を改良地盤中に建て込んだ後、回転させることにより、開口部の試料土と周囲の改良土との縁切りをして試料土を採取しようとするものである。この試料土採取装置は、中空円筒体のみを利用する装置であるので、開口部の開口角度を大きくすると、中空円筒体内の試料土を保持するだけの付着力が無くなり、試料土が落下する場合があり、開口角は１２０度近辺とせざるを得ない。
【０００８】
しかしながら、開口部の開口角が１８０度よりもかなり小さいこの装置では、円筒部の側壁周面がおよそ２４０度とかなり大きく、そのため前述のＵ字状断面の装置と同様に中空円筒体内面と改良土（ソイルセメント）の摩擦により採取しようとする改良土（ソイルセメント）が深度方向に圧縮されることがある。
【０００９】
また、開口部は絶えず開口しているため、中空円筒体を地上に回収する際に、改良体（ソイルセメント）中で周囲の改良土（ソイルセメント）と試料土は絶えず摩擦しながら引き上げられることになり、試料土の周面が影響を受ける恐れがあるばかりか、改良体（ソイルセメント）から装置が地上に抜け出す時点で、垂直状態になって地上に出た開口部から試料土が脱落する恐れがある。
【００１０】
本発明は、このような問題点を解消すべくなされたもので、その目的は、粘性が高い改良土の場合でも、所定位置の改良土を圧縮することなくそのままの状態で容易に確実に採取することができると共に、比較的簡単な構成の装置で、施工直後の未だ固まっていない状態の改良土を迅速に採取することができる試料土採取方法および装置を提供することにある。
【００１１】
【課題を解決するための手段】
本発明の請求項１は、断面形状が略半円状の長尺部材（半割り鋼管など）を２枚重ね合わせて側面が開口した平面視略Ｃ字状の開放断面状態で施工終了直後の改良地盤内に挿入し、所定の深度に達すると、一方の長尺部材に対して他方の長尺部材を中心軸の回りに回転させて閉鎖断面（断面略円形など）の長尺採取部材を形成し、この長尺採取部材を地上に引き上げることを特徴とする試料土採取方法である。
【００１２】
本発明の請求項２は、請求項１の試料土採取方法において、長尺採取部材の先端から固化材液（セメントミルクなど）を吐出しながら長尺採取部材を引き上げることを特徴とする試料土採取方法である。
【００１３】
本発明の請求項３は、断面形状が略半円状で重ね合わせることのできる２枚の長尺部材（半割り鋼管など）から構成され、一方の長尺部材が中心軸の回りに回転可能に設けられ、他方の長尺部材が一方の長尺部材に中心軸方向に一体移動可能かつ中心軸の回りを相対回転可能に設けられ、側面が開口した平面視略Ｃ字状の開放断面長尺採取部材とすることができることを特徴とする試料土採取装置である。例えば、一方（内側または外側）の長尺部材を地盤改良機の回転駆動軸や回転駆動治具などの先端に接続し、他方（外側または内側）の長尺部材の上部を一方の長尺部材の上部にピンとピン溝などの係合機構で接続する。
【００１４】
本発明の請求項４は、請求項３の試料土採取装置において、長尺部材に沿って注入管が配設されていることを特徴とする試料土採取装置である。この注入管は、外側の長尺部材の外面に設けてもよいし、内側の長尺部材の内面に設けてもよい。要は、地表側から長尺部材の下側に通ずる細い注入管が存在していればよい。
【００１５】
また、長尺部材の下面には、改良地盤中への挿入時には開き、引上時には閉じる底蓋を設けるのが好ましい。この底蓋は、例えば、回転レバー等を介して地上からの操作で水平方向あるいは鉛直方向に回転して長尺採取部材の底面を閉塞できるようにし、あるいは挿入時に土の抵抗で立ち上がって自動的に開き、引上時には土圧で自動的に水平に閉じるようにする。
【００１６】
以上のような構成において、施工直後の改良地盤内に２枚の略半円状の長尺部材を重ね合わせた開放断面の長尺採取部材を挿入していくため、従来の閉鎖断面パイプのような内周面摩擦による閉塞効果がなく、長尺採取部材の採取空間内に試料土が円滑に進入していき、圧縮されていない連続した試料土が得られる。
【００１７】
所定の深度に達すると、一方の長尺部材を回転させるで、この長尺部材が他方の長尺部材の開口を覆う蓋部材となり、平面視略円形の閉鎖断面長尺採取部材が形成され、円柱状の試料土が採取される。一方の長尺部材で試料土を周囲の改良土から縁切りすることにより、施工直後の未固化試料土を脱落させることなく確実に迅速に採取することができる。
【００１８】
粘性の高い改良土の場合、挿入時に、従来のＨ形鋼等による開放断面長尺採取部材と同様に、断面略半円状の長尺採取部材により片側の試料土が摩擦による圧縮で乱される可能性があるが、他方の側の試料土は、長尺部材の横方向からの切り取りで取り込まれるため、乱れのない健全な試料土が得られる。
【００１９】
試料土採取装置の引上時に注入管を利用してセメント系固化材液を吐出し、試料土が採取された空間をセメント系固化材で埋めてゆくことにより、ソイルセメントの強度が低下するのが防止される。
【００２０】
このように注入管を利用して試料土採取装置の下方にセメント系固化材液を注入するのは、単に空間を埋めるという作用にとどまらず、試料土採取装置を引き上げると、その下部が真空状態になり、いわゆるサクションが作用して引上げが困難となるばかりでなく、採取した試料土が下方に引っ張られる恐れもあるので、その防止のためでもある。
【００２１】
従って、このような下方の真空状態を避ける目的で、セメント系固化材液の代わりにエアを供給するようにしてもよい。この場合、試料土が採取された空間は、そのままにするか、別に用意したセメント系固化材液の注入パイプにより後でこの空間を埋めるようにしてよい。しかし、前述のように試料土採取装置の引上時にセメント系固化材液を吐出することが好ましい。
【００２２】
【発明の実施の形態】
以下、本発明を図示する実施の形態に基づいて説明する。図１は本発明に係る試料土採取装置の基本的な構造の１例を示したものである。図２は試料土採取装置の具体的な第１実施形態を示したものである。図３は第２実施形態を示したものである。図４は本発明の試料土採取方法の１例を示したものである。図５は第３実施形態を示したものである。図６は第３実施形態による試料観察方法を示したものである。
【００２３】
図１において、試料土採取装置１は、主として、鋼管を半割りにして得られる断面形状が半円形で内側に配置される長尺部材２と、同様の形状で外側に配置される長尺部材３から構成され、適宜の作動手段により内側長尺部材２がその中心軸の回りに回転できるようにされている。
【００２４】
図１(i) に示すように、内側長尺部材２と外側長尺部材３は、径を若干異ならせることにより、曲率の方向を一致させて重ね合わせることができ、挿入時に側面が開口した平面視略Ｃ字状の開放断面長尺採取部材４とすることができる。このような開放断面長尺採取部材４を改良土Ａ内に挿入することにより、従来の閉鎖断面パイプのような内周面摩擦による閉塞効果がなく、長尺採取部材の採取空間内に試料土が円滑に進入していき、圧縮されていない連続した試料土を得ることが可能となる。
【００２５】
所定の深度まで挿入されると、図１（ii) に示すように、内側長尺部材２を回転させることにより、外側長尺部材３の内面に沿って内側長尺部材２がスライドし、図１(iii) に示すように、内側長尺部材２が外側長尺部材３の開口を覆う蓋部材となり、平面視略円形の閉鎖断面長尺採取部材５が形成され、円柱状の試料土Ｂが採取される。内側長尺部材２で試料土Ｂを周囲の改良土Ａから縁切りすることにより、施工直後の未固化試料土を脱落させることなく確実に迅速に採取することができる。
【００２６】
粘性の高い改良土の場合、挿入時に、従来のＨ形鋼等による開放断面長尺採取部材と同様に、図１(iii) の外側長尺部材３側（左側）の試料土Ｂ1 が摩擦による圧縮で乱される可能性があるが、図１(iii) の内側長尺部材２側（右側）の試料土Ｂ2 は、内側長尺部材２の横方向からの切り取りで取り込まれるため、乱れのない健全な試料土が得られる。
【００２７】
なお、図１は内側長尺部材２を回転させる場合を示しているが、これに限らず、外側長尺部材３を回転させるようにしても同様の作用効果が得られる。即ち、回転した側の長尺部材側の試料土は、回転による横方向からの切り取りで取り込まれるため、乱れのない健全な試料土となっている。
【００２８】
図２の第１実施形態においては、図２(a) に示すように、半円鋼管からなる内側長尺部材２の上部に円形鋼管からなる円筒部材２ａを一体的に設け、この円筒部材２ａの上部にフランジ継手１０を介して接続軸（角軸）１１を接続している。地盤改良機の回転駆動軸１２の下端を接続軸１１に接続することで、図２(c) に示すように、試料土採取装置１を改良地盤中に挿入することができ、また内側長尺部材２を中心軸の回りに回転させることができる。なお、これに限らず、バックホーやバイブロハンマー等を用いて試料土採取装置１を改良地盤中に押し込み、ハンドル等で内側長尺部材２を回転させることもできる。しかしながら、手では回転し難い長尺の場合や断面径が大きい場合は、前述のように上部を地盤改良機の回転駆動軸に接続し得る角軸状の接続軸とし、機械的に回転させることが好ましい。
【００２９】
半円鋼管からなる外側長尺部材３は、図２(b) に示すように、上部に円形鋼管からなる円筒部材３ａが一体的に設けられ、外側長尺部材３の円筒部材３ａをピン１４を外した状態の内側長尺部材２の下側から挿入し、内側長尺部材２の円筒部材２ａにピン１４を外側長尺部材３のピン溝１５を通して取付け、円筒部材２ａに設けた係止リング１３により外側長尺部材３の上動を阻止し、かつ円筒部材２ａと円筒部材３ａをピン１４とピン溝１５により接続することで、図２(c) に示すように、内側長尺部材２と外側長尺部材３をその中心軸方向に対して一体化し、中心軸回りには相対回転可能としている。
【００３０】
ピン１４は、内側長尺部材２の円筒部材２ａにねじにより着脱可能に取付けられ（後に詳述する図３(d) 参照) 、ピン溝１５は、外側長尺部材３の円筒部材３ａに水平に１８０°以上にわたって形成する（図２(e) 参照) 。試料土採取装置の組立時・挿入時には、係止リング１３およびピン１４とピン溝１５の係止めにより内側長尺部材２と外側長尺部材３が中心軸方向に一体化し、回転時にはピン１４がピン溝１５内を移動することにより、改良土との周面摩擦により固定された外側長尺部材３に対して内側長尺部材２を１８０°回転させることができる。
【００３１】
また、外側長尺部材３の外面には、セメント系固化材液の注入管２０が設けられ、内側長尺部材２の下端部には、試料土の採取後に底面を塞ぐ底蓋３０が設けられている。
【００３２】
固化材液注入管２０は、下端のノズルが外側長尺部材３の下端から若干突出するように取付けられ、試料土採取装置の引上時にセメント系固化材液を吐出することにより、試料土が採取された空間をセメント系固化材で埋めてゆき、ソイルセメントの強度が低下するのを防止する。固化材液は地盤改良機の回転駆動軸１２・接続軸１１・内側長尺部材２の円筒部材２ａの内部を通って供給されるため、固化材液注入管２０の上部と円筒部材２ａの吐出口をフレキシブルホース２１で接続し、内側長尺部材２等が回転しても固化材液を供給できるようにしている。
【００３３】
このように固化材液注入管２０を利用して試料土採取装置の下方にセメント系固化材液を注入するのは、単に空間を埋めるという作用にとどまらず、試料土採取装置を引き上げると、その下部が真空状態になり、引上げが困難となるばかりでなく、採取した試料土が下方に引っ張られる恐れもあるので、その防止のためにも注入管２０を利用して試料土採取装置の下方にセメント系固化材液を注入するのである。
【００３４】
このような下方の真空状態を避ける目的で、セメント系固化材液の代わりにエアを注入管２０で供給するようにしてもよい。この場合、試料土が採取された空間は、そのままにするか、別に用意したセメント系固化材液の注入パイプにより後でこの空間を埋めるようにしてよい。しかし、前述のように試料土採取装置の引上時にセメント系固化材液を吐出することが好ましい。
【００３５】
底蓋３０は、図２(a),(d) の下方に示した底面図に示されるように、少なくとも内側長尺部材２の半円断面を覆うことのできる平面形状であり、内側長尺部材２の下端に鉛直方向に回転可能にねじ等により取付けられている。従って、試料土採取装置の挿入時には、図２(c),(f) に示すように、土の抵抗により鉛直に立ち上がり、試料土を乱すことがなく、引上時には、図２(d),(f) に示すように、土圧により水平に寝た状態となり、試料土が落下するのを防止することができる。なお、底蓋３０を水平状態に保持するための支持部材３１が内側長尺部材２の下端内面に取付けられている（図２(f) 参照）。
【００３６】
なお、底蓋は、前述の自動的な鉛直回転式に限らず、例えば図２(g) に示すような水平回転式の底蓋３０でもよい。この底蓋３０は、回転レバー３２により地上からの操作で回転開閉可能とされている。回転レバー３２は、長尺部材２，３より長い棒材３２ａと、棒材３２ａの上端に一体的に設けられる把手３２ｂから構成し、棒材３２ａの下端に回転式底蓋３０を水平に固定する。棒材３２ａは外側長尺部材３の外面に簡単な軸受け（図示せず）により回転自在に支持固定し、棒材３２ａを１８０°回転させることにより、引上時の長尺部材２，３の下面を覆うようにする。また、これに限らず、底蓋３０を操作レバーで鉛直方向に開閉するようにしてもよい。
【００３７】
図３の第２実施形態においては、固化材液注入管２０を取付けた外側長尺部材３の円筒部材３ａを接続軸１１にフランジ継手１０を介して取付け、外側長尺部材３を回転させるように構成してある。この場合、固化材液注入管２０の上端は円筒部材３ａに直接接続することができ、フレキシブルホース２１を不要とすることができる。
【００３８】
なお、この場合の内側長尺部材２の構成は、第１実施形態の構成と類似であり、この内側長尺部材２をピン１４を外した状態で外側長尺部材３の下側から挿入し、内側長尺部材２の円筒部材２ａにピン１４を外側長尺部材３のピン溝１５を通して取付け、円筒部材２ａと円筒部材３ａをピン１４とピン溝１５により接続することで、内側長尺部材２と外側長尺部材３をその中心軸方向に対して一体化し、中心軸回りには相対回転可能としている。ピン１４は、図３(d) に示すように、ねじにより内側長尺部材２の円筒部材２ａに着脱可能に取付けられる。即ち、ピン１４の先端側に雄ねじ１４ａを一体的に形成しておき、円筒部材２ａの雌ねじ穴に螺着させる。あるいは、止めねじ１６をピン１４と円筒部材２ａの雌ねじ穴に螺着させる。
【００３９】
また、内側長尺部材２の下端に固化材液注入管２０の吐出口を覆う蓋部材４０を設け、試料土採取装置の挿入時に固化材液注入管２０の吐出口が改良土の侵入により閉塞されるのを防止している。引上時には、図３(b) の側面図やその下方に示した底面図に示すように、外側長尺部材３の回転により固化材液注入管２０の吐出口が定置の蓋部材４０から外れ、固化材液を吐出することができる。
【００４０】
この蓋部材４０は図２の第１実施形態にも適用できる。また、第１実施形態および第２実施形態において、図３(c) に示すように、固化材液注入管２０のノズルを横に向けて改良土の侵入を防止することもできる。この場合は、蓋部材４０を取付ける必要はない。
【００４１】
なお、固化材液注入管２０は、図４に示すように、内側長尺部材（内管）２の内面に取付けるようにしてもよい。なお、図４においては、内側長尺部材２の下端部を外側長尺部材（外管）３の下端よりも突出させ、地上に横置きした時に、この突出部分を支持できるようにしている。
【００４２】
以上のような構成の試料土採取装置１を使用して次のように試料土の採取を行なう（図４参照）。なお、図４は、図２の第１実施形態のように内側長尺部材２を回転させるタイプである。
【００４３】
(1) 地盤改良施工直後に、地盤改良機の回転駆動軸に試料土採取装置１を接続し、改良地盤中に挿入する。この時、図４(c) に示すように、内側長尺部材（内管）２と外側長尺部材（外管）３は重ね合わされ、下方にイ−イ線切断面で示す水平断面図に示されるように、平面視略Ｃ字状の開放断面長尺採取部材４の状態で挿入される。また、底蓋３０は、鉛直回転式の場合、図２(c) に示すように、土の抵抗により鉛直状態となり、水平回転式の場合、図２(g) に示すように、長尺部材２，３の外側に配置しておく。
【００４４】
(2) 試料土採取装置１が所定の深度まで達すると、内側長尺部材２を１８０°回転させ、一方の側面における改良土の縁切りを行なう。図４(d) の下方に示すように、平面視略円形の閉鎖断面長尺採取部材５が形成され、未固化で圧縮されることなく連続した円柱状の試料土Ｂが採取される。
【００４５】
(3) 水平回転式の底蓋３０の場合、水平旋回させて長尺部材２，３の底面を閉塞する。鉛直回転式の場合には、土圧により底蓋３０が閉まり水平状態となる。図４(d) に示すように、底面が閉じた平面視略円形の閉鎖断面長尺採取部材５を引き上げ、地上に回収する。
【００４６】
(4) 試料土採取装置１を地盤改良機の回転駆動軸から取外し、図４(f) に示すように、乱されていない試料土を観察できるように、あるいは乱されていない試料土から供試体を得るために、回転させられた側の部材を下にして、即ち上記の場合は、内側長尺部材２を下にして地面に水平に置く。内側長尺部材２の先端突出部を木などの受け台５０で支持する。
【００４７】
(5) 図４(g) に示すように、内側長尺部材２を覆う外側長尺部材３を１８０°回転させ、試料土の観察を行ない、必要に応じてスコップ等で上部の試料土を取り去り、乱されていない下部の試料土の観察を行う。必要に応じて、ブロックサンプリング、または強度確認のための供試体の作製を行なう。
【００４８】
次に、図５の第３実施形態を説明する。この第３実施形態においては、第１実施形態のように内側長尺部材２を回転させるタイプであるが、外側長尺部材（外管）３を内側長尺部材（内管）２に対して横方向から簡単に着脱できるようにしている。即ち、長尺の半円鋼管からなる外側長尺部材３の上部に短尺の半円鋼管からなる抱持部材６を上下一対で設け、外側長尺部材３の上部と一対の抱持部材６，６とにより、内側長尺部材２の円筒部材２ａに横から取付けることのできる円筒部材３ａ’を形成している。
【００４９】
抱持部材６と外側長尺部材３とは、図５(e) にも示すように、フランジ７とボルト８で着脱可能に締結する。また、上下一対の抱持部材６を所定の間隔をおいて配設することにより、ピン溝１５が形成される。このピン溝１５は円筒部材３ａ’の上下方向の中央部に形成することができ、図２の第１実施形態のようにピン溝（切欠き）１５が下方に位置する場合と比べ、曲げに対する強度を高めることができる。また、装置の組立や図６(ii)に示すような装置の解体に際して、内側長尺部材２と外側長尺部材３の取付けや取外しが容易になる。さらに、外側長尺部材３の下部にも半円鋼管からなる抱持部材９を前記抱持部材６と同様にボルト８で着脱可能に取付けて補強する。この抱持部材９は、内側長尺部材２の回転ガイドにもなり、内側長尺部材２の回転がスムーズになる。
【００５０】
内側長尺部材２は、図２の第１実施形態と同様であり、前述した手順で試料土の採取が行われる。試料の観察時には、次のような手順となる（図６参照）。
【００５１】
(1) 内側長尺部材２を下にして地面に水平に置く。内側長尺部材２の先端部を木などの受け台５０で支持する。
【００５２】
(2) 外側長尺部材３のボルト８を外し、外側長尺部材３を吊り上げて内側長尺部材２から取り外し、試料土Ｂを露出させる。
【００５３】
(3) 試料土Ｂは、外側長尺部材３側の上部が乱れの存在する可能性のある試料土Ｂ1 であり、内側長尺部材２側の下部が乱れのない健全な試料土Ｂ2 であり（図１参照）、スコップ５１等で上部の試料土Ｂ1 を取り去り、下部の健全な試料土Ｂ2 の観察面を露出させ、観察を行い、圧縮強度などの測定用の供試体の作製を行う。
【００５４】
なお、この抱持部材６，９を用いた構造は、図３の第２実施形態のように外側長尺部材３が回転する場合にも、この外側長尺部材３に適用することができる。また、この図５の第３実施形態では、ピン１４は着脱可能とする必要はなく、内側長尺部材２の円筒部材２ａに固定しておくことができる。
【００５５】
【発明の効果】
本発明は、以上のような構成からなるので、次のような効果を奏することができる。
【００５６】
(1) 施工直後の改良地盤内に断面略半円状の長尺部材を２枚重ね合わせた開放断面の長尺採取部材を挿入していくため、従来の閉鎖断面パイプのような内周面摩擦による閉塞効果がなく、長尺採取部材の採取空間内に試料土が円滑に進入していき、圧縮されていない連続した試料土を得ることができる。
【００５７】
(2) 所定の深度に達すると、一方の長尺部材を回転させて他方の長尺部材の側面開口を閉じることにより、試料土を周囲の改良土から縁切りすることができ、施工直後の未固化試料土を脱落させることなく確実に迅速に採取することができ、施工直後の地盤改良体の品質管理を行なうことができる。
【００５８】
(3) 粘性の高い改良土の場合、断面略半円状の長尺採取部材により片側の試料土が摩擦による圧縮で乱されたとしても、他方の側の試料土は、長尺部材の横方向からの切り取りで取り込まれるため、乱れのない健全な試料土が得られ、正確な試料観察や強度試験等を行うことができる。
【００５９】
(4) 比較的簡単な構成の装置で容易に迅速に採取を行なうことができ、コストの低減を図ることができる。
【００６０】
(5) 引上時にセメント系固化材液を吐出することにより、試料土が採取された空間をセメント系固化材で埋めることができ、ソイルセメントの強度の低下を防止することができる。また、固化材液やエア等の注入により引上時の真空状態を解消できるため、容易に引上げを行うことができると共に、試料土の落下を防止することができる。
【００６１】
(6) 外側長尺部材に半円鋼管等からなる抱持部材を着脱可能に取付ける構造とすれば、内側長尺部材と外側長尺部材の取付けや取外しが容易となる。
【図面の簡単な説明】
【図１】本発明に係る試料土採取装置の基本的な構造の１例であり、各工程における状態を示す水平断面図である。
【図２】本発明に係る試料土採取装置の第１実施形態であり、(a) は内側長尺部材の鉛直断面図・水平断面図、(b) は外側長尺部材の側面図・底面図、(c) は貫入時の側面図・底面図、(d) は引上時の側面図・底面図、(e) は長尺部材の上部の水平断面図、(f) は長尺部材の下端の鉛直断面図、(g) は底蓋の他の例を示す斜視図である。
【図３】本発明に係る試料土採取装置の第２実施形態であり、(a) は貫入時の側面図・底面図、(b) は引上時の側面図・底面図、(c) は固化材液注入管の変形例を示す断面図、(d) はピンの固定方法の１例を示す断面図である。
【図４】本発明に係る試料土採取方法を示したものであり、(a) は内側長尺部材の側面図・水平断面図、(b) は外側長尺部材の側面図・水平断面図、(c) は貫入時の側面図・水平断面図、(d) は引上時の側面図・水平断面図、(e) は地上回収横置き時の側面図・鉛直断面図、(f) は試料観察横置き時の側面図・鉛直断面図である。
【図５】本発明に係る試料土採取装置の第３実施形態であり、(a) は内側長尺部材の鉛直断面図・水平断面図、(b) は外側長尺部材の側面図・水平断面図、(c) は貫入時の側面図・水平断面図、(d) は引上時の側面図・水平断面図、(e) は把持部材部分の水平断面図である。
【図６】図５の第３実施形態による試料観察方法を工程順に示した側面図・鉛直断面図である。
【符号の説明】
Ａ……改良土
Ｂ……試料土
１……試料土採取装置
２……内側長尺部材
２ａ…円筒部材
３……外側長尺部材
３ａ…円筒部材
４……開放断面長尺採取部材
５……閉鎖断面長尺採取部材
６……抱持部材
７……フランジ
８……ボルト
９……抱持部材
１０……フランジ継手
１１……接続軸
１２……回転駆動軸
１３……係止リング
１４……ピン
１４ａ…雄ねじ
１５……ピン溝
１６……止めねじ
２０……固化材液注入管
２１……フレキシブルホース
３０……底蓋
３１……支持部材
３２……回転レバー
４０……蓋部材
５０……受け台
５１……スコップ
【図１】
0003801852.tif 000002
【図２】
0003801852.tif 000003
【図３】
0003801852.tif 000004
【図４】
0003801852.tif 000005
【図５】
0003801852.tif 000006
【図６】
0003801852.tif 000007